(57)【要約】  【課題】  記録動作や再生動作が終って装置がストップ状態になった後も、装置内の冷却を行うことができる機能を有する光ディスク装置を提供する。  【解決手段】  光ディスクに対する再生動作または記録動作が行われた後、ストップ状態になると、このストップ状態がストップ状態検出手段により検出され、この時にストップ時ディスク回転手段は光ディスクを低速回転させる。そして、前記ストップ状態が検出されてから所定時間が経過した時に、オートパワーオフ機能は、光ディスクの回転を停止させると共に、電源をオフさせる。この構成によれば、記録動作や再生動作が終って装置がストップ状態になった後も、光ディスクの回転で装置内の空気を循環させて装置内の冷却を行うことができるので、発熱部品が空冷され、ストップ状態時の温度上昇を抑えることができ、光ディスク装置の寿命や記録／再生の精度に悪影響を与えるようなことがなくなる。【選択図】      図２
2006331504.tif 000002
【特許請求の範囲】
【請求項１】
光ディスクに記録された情報を再生、または光ディスクに記録された情報を再生したり
光ディスクに情報を記録したりする光ディスク装置において、光ディスクに対する再生動
作または記録動作の後のストップ状態を検出するストップ状態検出手段と、前記ストップ
状態が検出された時に前記光ディスクを低速回転させるストップ時ディスク回転手段と、
前記ストップ状態が検出されてから所定時間が経過した時に前記光ディスクの回転を停止
させると共に電源をオフさせるオートパワーオフ機能とを有するシステムコントローラを
備えたことを特徴とする光ディスク装置。
【請求項２】
光ディスクに記録された情報を再生、または光ディスクに記録された情報を再生したり
光ディスクに情報を記録したりする光ディスク装置において、光ディスクに対する再生動
作または記録動作の後のストップ状態を検出するストップ状態検出手段と、前記ストップ
状態が検出されてからの時間を計時するタイマと、前記ストップ状態が検出された時に前
記光ディスクを低速回転させるストップ時ディスク回転手段と、前記ストップ状態が検出
されてから所定時間が経過したことを示す前記タイマからの時間経過信号を入力すること
により前記光ディスクの回転を停止させると共に電源をオフさせるディスク回転停止・電
源オフ手段とを有するシステムコントローラを備えたことを特徴とする光ディスク装置。
【請求項３】
光ディスクに記録された情報を再生、または光ディスクに記録された情報を再生したり
光ディスクに情報を記録したりする光ディスク装置において、光ディスクに対する再生動
作または記録動作の後のストップ状態を検出した時に、前記光ディスクを低速回転させ、
所定時間が経過した時に、オートパワーオフ機能により、前記光ディスクの回転を停止さ
せると共に、電源をオフさせるシステムコントローラを備えたことを特徴とする光ディス
ク装置。
【請求項４】
光ディスクに記録された情報を再生、または光ディスクに記録された情報を再生したり
光ディスクに情報を記録したりする光ディスク装置において、光ディスクに対する再生動
作または記録動作の後のストップ状態を検出した時に、前記光ディスクを低速回転させ、
タイマの計時が所定時間を経過した時に、前記光ディスクの回転を停止させると共に、電
源をオフさせるシステムコントローラを備えたことを特徴とする光ディスク装置。
【請求項５】
前記システムコントローラは、光ディスクに対する再生動作または記録動作の後のスト
ップ状態を検出するストップ状態検出手段と、前記ストップ状態が検出された時に前記光
ディスクを低速回転させるストップ時ディスク回転手段と、前記ストップ状態が検出され
てから所定時間が経過した時に前記光ディスクの回転を停止させると共に電源をオフさせ
るオートパワーオフ機能とを有することを特徴とする請求項３に記載の光ディスク装置。
【請求項６】
システムコントローラは、光ディスクに対する再生動作または記録動作の後のストップ
状態を検出するストップ状態検出手段と、前記ストップ状態が検出されてからの時間を計
時するタイマと、前記ストップ状態が検出された時に前記光ディスクを低速回転させるス
トップ時ディスク回転手段と、前記ストップ状態が検出されてから所定時間が経過したこ
とを示す前記タイマからの時間経過信号を入力することにより前記光ディスクの回転を停
止させると共に電源をオフさせるディスク回転停止・電源オフ手段とを有することを特徴
とする請求項４に記載の光ディスク装置。
【発明の詳細な説明】
【技術分野】
【０００１】
本発明は、光ディスクに記録された情報を再生、または光ディスクに記録された情報を
再生したり光ディスクに情報を記録したりする光ディスク装置に関する。
【背景技術】
【０００２】
近年、映画等のような大量の映像音声データなどの情報を記録することができる光ディ
スクであるＤＶＤ（デジタル・バーサタイル・ディスク）が普及しつつある。ＤＶＤの種
類としては、メーカ側で情報が記録され、ユーザ側では書き換えができないＤＶＤ−ＲＯ
ＭタイプのＤＶＤ、ユーザ側で情報を１回だけ記録できるＤＶＤ−ＲタイプのＤＶＤ、ユ
ーザ側で書き換え可能なＤＶＤ−ＲＷ（ＤＶＤ−ＲＡＭ）タイプのＤＶＤなどが知られて
いる。これらのＤＶＤに記録された情報は、ＤＶＤプレイヤまたはＤＶＤレコーダで再生
可能であり、ＤＶＤ−ＲタイプのＤＶＤやＤＶＤ−ＲＷ（ＤＶＤ−ＲＡＭ）タイプのＤＶ
Ｄなどへの情報の記録は、ＤＶＤレコーダで可能である。
【０００３】
さて、ＤＶＤプレイヤやＤＶＤレコーダなどの光ディスク装置では、装置の薄型化や小
型化が図られ、更に、高機能化や高速処理化の要求によって駆動制御系や信号処理系など
を構成する回路素子が増加し、それらの回路素子の発熱、および駆動機構部の高速動作に
よる装置内の温度上昇が問題にされている。
【０００４】
最近の光ディスクの記録速度の高速化は目覚しく、光ディスク装置の温度上昇も大きく
なっている。光ディスクへの情報の記録は、レーザ光をパルス状に光ディスクに照射する
ことにより実現されており、安定した光ディスクの高速記録を実現するには、記録速度が
高速になるほど、レーザダイオードの記録パワーを大きくしなければならず、これにより
、レーザダイオードの温度上昇を引き起こすことになる。
【０００５】
このように、記録速度の高速化は、レーザダイオードの温度上昇、駆動モータの温度上
昇、各ＬＳＩの高速処理による温度上昇を導き、年々光ディスク装置内の温度は上昇して
いる。これら温度上昇は、光ディスク装置の寿命や記録／再生の精度に悪影響を与える。
【０００６】
そこで、特許文献１の従来技術では、光ディスクの面振れや偏芯成分を利用して、この
光ディスクの回転によって装置内外に空気の流れが発生する点に着目し、光ピックアップ
近傍の温度が設定値を超えた場合には、レーザダイオード（半導体レーザ）の発光動作を
中断させるとともに、光ディスクの回転速度を上昇させ、装置内を冷却するようにしてい
る。また、特許文献２の従来技術では、装置内の温度に応じた回転速度で光ディスクを回
転させて装置内を冷却している。
【特許文献１】特開２００３−２５７０２２号公報
【特許文献２】特開２００３−７７１３３号公報
【発明の開示】
【発明が解決しようとする課題】
【０００７】
しかしながら、それらの従来技術は、記録動作中や再生動作中に対しての装置内の冷却
に関するものであり、記録動作や再生動作が終って装置がストップ状態になった後は、装
置内の冷却は行われていない。記録動作や再生動作が終って装置がストップ状態になった
後も、装置内の冷却を行わないと、装置内の空気の温度が高いままで、ストップ状態でも
動作している部品、例えば、電源回路、メモリ、映像出力回路、音声出力回路、制御回路
などのＩＣ部品は、益々温度が上昇し、光ディスク装置の寿命や記録／再生の精度に悪影
響を与えるという課題が生じる。
【０００８】
なお、一般に、従来の光ディスク装置では、ストップ状態と記録や再生などの動作状態
とを区別せずに、通常の温度上昇対策、例えば、部品の放熱ランドを大きくしたり、発熱
部品を集めずに分散して配置したりしているが、記録動作や再生動作が終って装置がスト
ップ状態になった後、装置内の冷却を行わないと、装置内の空気の温度が高いままである
ので、発熱部品は益々温度が上昇し、この場合も、光ディスク装置の寿命や記録／再生の
精度に悪影響を与えるという課題が生じる。
【０００９】
本発明は、上記のような課題を解決するためになされたもので、記録動作や再生動作が
終って装置がストップ状態になった後も、装置内の冷却を行うことができる機能を有する
光ディスク装置を提供することを目的とする。
【課題を解決するための手段】
【００１０】
上記目的を達成するために、請求項１の発明は、光ディスクに対する再生動作または記
録動作の後のストップ状態を検出するストップ状態検出手段と、前記ストップ状態が検出
された時に前記光ディスクを低速回転させるストップ時ディスク回転手段と、前記ストッ
プ状態が検出されてから所定時間が経過した時に前記光ディスクの回転を停止させると共
に電源をオフさせるオートパワーオフ機能とを有するシステムコントローラを備えたこと
を特徴とする光ディスク装置を提供する。
【００１１】
この構成においては、光ディスクに対する再生動作または記録動作が行われた後、スト
ップ状態になると、このストップ状態がストップ状態検出手段により検出され、この時に
ストップ時ディスク回転手段は光ディスクを低速回転させる。そして、前記ストップ状態
が検出されてから所定時間が経過した時に、オートパワーオフ機能は、光ディスクの回転
を停止させると共に、電源をオフさせる。
【００１２】
この構成によれば、記録動作や再生動作が終って装置がストップ状態になった後も、光
ディスクの回転で装置内の空気を循環させて装置内の冷却を行うことができるので、発熱
部品が空冷され、ストップ状態時の温度上昇を抑えることができ、これにより、光ディス
ク装置の寿命や記録／再生の精度に悪影響を与えるようなことがなくなり、光ディスク装
置の品質の向上を図ることができる。また、ストップ状態時の光ディスクの回転は低速で
あるので、スピンドルモータの寿命の劣化を軽減できる。
【００１３】
請求項２の発明は、光ディスクに対する再生動作または記録動作の後のストップ状態を
検出するストップ状態検出手段と、前記ストップ状態が検出されてからの時間を計時する
タイマと、前記ストップ状態が検出された時に前記光ディスクを低速回転させるストップ
時ディスク回転手段と、前記ストップ状態が検出されてから所定時間が経過したことを示
す前記タイマからの時間経過信号を入力することにより前記光ディスクの回転を停止させ
ると共に電源をオフさせるディスク回転停止・電源オフ手段とを有するシステムコントロ
ーラを備えたことを特徴とする光ディスク装置を提供する。
【００１４】
この構成においては、光ディスクに対する再生動作または記録動作が行われた後、スト
ップ状態になると、このストップ状態がストップ状態検出手段により検出され、この時に
ストップ時ディスク回転手段は光ディスクを低速回転させる。そして、ディスク回転停止
・電源オフ手段は、前記ストップ状態が検出されてから所定時間が経過したことを示すタ
イマからの時間経過信号を入力することにより光ディスクの回転を停止させると共に、電
源をオフさせる。
【００１５】
この構成によれば、記録動作や再生動作が終って装置がストップ状態になった後も、光
ディスクの回転で装置内の空気を循環させて装置内の冷却を行うことができるので、発熱
部品が空冷され、ストップ状態時の温度上昇を抑えることができ、これにより、光ディス
ク装置の寿命や記録／再生の精度に悪影響を与えるようなことがなくなり、光ディスク装
置の品質の向上を図ることができる。また、ストップ状態時の光ディスクの回転は低速で
あるので、スピンドルモータの寿命の劣化を軽減できる。
【００１６】
請求項３の発明は、光ディスクに対する再生動作または記録動作の後のストップ状態を
検出した時に前記光ディスクを低速回転させ、所定時間が経過した時にオートパワーオフ
機能により、前記光ディスクの回転を停止させると共に、電源をオフさせるシステムコン
トローラを備えたことを特徴とする光ディスク装置を提供する。
【００１７】
この構成においては、光ディスクに対する再生動作または記録動作が行われた後、スト
ップ状態になると、光ディスクを低速回転させ、所定時間が経過した時に、オートパワー
オフ機能は、光ディスクの回転を停止させると共に、電源をオフさせる。
【００１８】
この構成によれば、記録動作や再生動作が終って装置がストップ状態になった後も、光
ディスクの回転で装置内の空気を循環させて装置内の冷却を行うことができるので、発熱
部品が空冷され、ストップ状態時の温度上昇を抑えることができ、これにより、光ディス
ク装置の寿命や記録／再生の精度に悪影響を与えるようなことがなくなり、光ディスク装
置の品質の向上を図ることができる。また、ストップ状態時の光ディスクの回転は低速で
あるので、スピンドルモータの寿命の劣化を軽減できる。
【００１９】
請求項４の発明は、光ディスクに対する再生動作または記録動作の後のストップ状態を
検出した時に、前記光ディスクを低速回転させ、タイマの計時が所定時間を経過した時に
、前記光ディスクの回転を停止させると共に、電源をオフさせるシステムコントローラを
備えたことを特徴とする光ディスク装置を提供する。
【００２０】
この構成においては、光ディスクに対する再生動作または記録動作が行われた後、スト
ップ状態になると、光ディスクを低速回転させ、タイマの計時が所定時間を経過した時に
、光ディスクの回転を停止させると共に、電源をオフさせる。
【００２１】
この構成によれば、記録動作や再生動作が終って装置がストップ状態になった後も、光
ディスクの回転で装置内の空気を循環させて装置内の冷却を行うことができるので、発熱
部品が空冷され、ストップ状態時の温度上昇を抑えることができ、これにより、光ディス
ク装置の寿命や記録／再生の精度に悪影響を与えるようなことがなくなり、光ディスク装
置の品質の向上を図ることができる。また、ストップ状態時の光ディスクの回転は低速で
あるので、スピンドルモータの寿命の劣化を軽減できる。
【００２２】
請求項５の発明では、請求項３の発明において、前記システムコントローラは、光ディ
スクに対する再生動作または記録動作の後のストップ状態を検出するストップ状態検出手
段と、前記ストップ状態が検出された時に前記光ディスクを低速回転させるストップ時デ
ィスク回転手段と、前記ストップ状態が検出されてから所定時間が経過した時に前記光デ
ィスクの回転を停止させると共に電源をオフさせるオートパワーオフ機能とを有するので
、記録動作や再生動作が終って装置がストップ状態になった後も、光ディスクを低速回転
させることができ、また、所定時間経過後に、光ディスクの回転を停止させることができ
る。
【００２３】
請求項６の発明では、請求項４の発明において、前記システムコントローラは、光ディ
スクに対する再生動作または記録動作の後のストップ状態を検出するストップ状態検出手
段と、前記ストップ状態が検出されてからの時間を計時するタイマと、前記ストップ状態
が検出された時に前記光ディスクを低速回転させるストップ時ディスク回転手段と、前記
ストップ状態が検出されてから所定時間が経過したことを示す前記タイマからの時間経過
信号を入力することにより前記光ディスクの回転を停止させると共に電源をオフさせるデ
ィスク回転停止・電源オフ手段とを有するので、記録動作や再生動作が終って装置がスト
ップ状態になった後も、光ディスクを低速回転させることができ、また、所定時間経過後
に、光ディスクの回転を停止させることができる。
【発明の効果】
【００２４】
以上のように本発明によれば、光ディスクに対する再生動作または記録動作の後のスト
ップ状態を検出するストップ状態検出手段と、前記ストップ状態が検出された時に前記光
ディスクを低速回転させるストップ時ディスク回転手段と、前記ストップ状態が検出され
てから所定時間が経過した時に前記光ディスクの回転を停止させると共に電源をオフさせ
るオートパワーオフ機能とを有するシステムコントローラを備えたので、記録動作や再生
動作が終って装置がストップ状態になった後も、光ディスクの回転で装置内の空気を循環
させて装置内の冷却を行うことができ、これにより、発熱部品が空冷され、ストップ状態
時の温度上昇を抑えることができ、したがって、光ディスク装置の寿命や記録／再生の精
度に悪影響を与えるようなことがなくなり、光ディスク装置の品質の向上を図ることがで
きる。また、ストップ状態時の光ディスクの回転は低速であるので、スピンドルモータの
寿命の劣化を軽減できる。
【００２５】
また、本発明によれば、光ディスクに対する再生動作または記録動作の後のストップ状
態を検出するストップ状態検出手段と、前記ストップ状態が検出されてからの時間を計時
するタイマと、前記ストップ状態が検出された時に前記光ディスクを低速回転させるスト
ップ時ディスク回転手段と、前記ストップ状態が検出されてから所定時間が経過したこと
を示す前記タイマからの時間経過信号を入力することにより前記光ディスクの回転を停止
させると共に電源をオフさせるディスク回転停止・電源オフ手段とを有するシステムコン
トローラを備えたので、記録動作や再生動作が終って装置がストップ状態になった後も、
光ディスクの回転で装置内の空気を循環させて装置内の冷却を行うことができ、これによ
り、発熱部品が空冷され、ストップ状態時の温度上昇を抑えることができ、したがって、
光ディスク装置の寿命や記録／再生の精度に悪影響を与えるようなことがなくなり、光デ
ィスク装置の品質の向上を図ることができる。また、ストップ状態時の光ディスクの回転
は低速であるので、スピンドルモータの寿命の劣化を軽減できる。
【００２６】
また、本発明によれば、光ディスクに対する再生動作または記録動作の後のストップ状
態を検出した時に前記光ディスクを低速回転させ、所定時間が経過した時にオートパワー
オフ機能により、前記光ディスクの回転を停止させると共に、電源をオフさせるシステム
コントローラを備えたので、記録動作や再生動作が終って装置がストップ状態になった後
も、光ディスクの回転で装置内の空気を循環させて装置内の冷却を行うことができ、これ
により、発熱部品が空冷され、ストップ状態時の温度上昇を抑えることができ、これによ
り、光ディスク装置の寿命や記録／再生の精度に悪影響を与えるようなことがなくなり、
光ディスク装置の品質の向上を図ることができる。また、ストップ状態時の光ディスクの
回転は低速であるので、スピンドルモータの寿命の劣化を軽減できる。
【００２７】
また、本発明によれば、光ディスクに対する再生動作または記録動作の後のストップ状
態を検出した時に、前記光ディスクを低速回転させ、タイマの計時が所定時間を経過した
時に、前記光ディスクの回転を停止させると共に、電源をオフさせるシステムコントロー
ラを備えたので、記録動作や再生動作が終って装置がストップ状態になった後も、光ディ
スクの回転で装置内の空気を循環させて装置内の冷却を行うことができ、これにより、発
熱部品が空冷され、ストップ状態時の温度上昇を抑えることができ、したがって、光ディ
スク装置の寿命や記録／再生の精度に悪影響を与えるようなことがなくなり、光ディスク
装置の品質の向上を図ることができる。また、ストップ状態時の光ディスクの回転は低速
であるので、スピンドルモータの寿命の劣化を軽減できる。
【発明を実施するための最良の形態】
【００２８】
以下、添付図面を参照しつつ、本発明の実施の形態について説明する。図１は本発明の
一実施形態に係る光ディスク装置としてのＤＶＤレコーダの構成を示すブロック図である
。
【００２９】
このＤＶＤレコーダは、光ディスク１を回転させるスピンドルモータ５と、光ディスク
１に対して情報の記録／再生を行うためのレーザ光を出射すると共に光ディスク１からの
反射光を受光する光ピックアップ２と、この光ピックアップ２を光ディスク１の半径方向
に移動させるためのスレッド３と、装置全体を制御するシステムコントローラ２２と、こ
のシステムコントローラ２２の指示に応じてスピンドルモータ５およびスレッド３を駆動
すると共に光ピックアップ２に内蔵された対物レンズ（図示せず）を動かすことによりレ
ーザ光の焦点位置を光ディスク１の記録面に対して垂直方向および水平方向に移動させる
制御を行うサーボ制御部４とを備えている。
【００３０】
また、このＤＶＤレコーダは、光ディスク１の再生時に光ピックアップ２からの読取信
号であるＲＦ信号を増幅するＲＦアンプ６と、このＲＦアンプ６から出力されたＲＦ信号
をデジタルデータに変換した後に光ディスク１のデータフォーマットに応じた信号復調処
理とＥＣＣエラー訂正処理を行って生成したデータをＲＡＭ７に格納するデジタル信号処
理部８と、システムコントローラ２２の指示に応じてデジタル信号処理部８から出力され
たデータストリームの中からオーディオデータとサブピクチャデータとビデオデータとを
分離するストリーム分離部９とを備えている。
【００３１】
また、このＤＶＤレコーダは、ストリーム分離部９から出力されたオーディオデータを
入力して所定のデコード処理を行うオーディオデコーダ１１と、このオーディオデコーダ
１１でのデコード処理を行うためにデータを一時的に格納するＲＡＭ１０と、ストリーム
分離部９から出力されたサブピクチャデータを入力して所定のデコード処理を行うサブピ
クチャデコーダ１３と、このサブピクチャデコーダ１３でのデコード処理を行うためにデ
ータを一時的に格納するＲＡＭ１２と、ストリーム分離部９から出力されたビデオデータ
を入力して所定のデコード処理を行うビデオデコーダ１５と、このビデオデコーダ１５で
のデコード処理を行うためにデータを一時的に格納するＲＡＭ１４とを備えている。
【００３２】
また、このＤＶＤレコーダは、システムコントローラ２２の指示に応じてビデオデコー
ダ１５から出力されたデータとサブピクチャデコーダ１３から出力されたデータとを合成
するビデオプロセッサ１７と、このビデオプロセッサ１７から出力された合成データを表
示用のビデオ信号に変換して画像をディスプレイ装置２０に表示させるビデオエンコーダ
１８と、オーディオデコーダ１１から出力されたデータをアナログのオーディオ信号に変
換して例えばスピーカ１９に供給するＤ／Ａ変換器１６とを備えている。
【００３３】
また、このＤＶＤレコーダは、システムコントローラ２２に対して赤外線信号により、
再生指示を与えるための再生キー、再生停止を指示するための停止キー、記録指示を与え
るための記録キー、および電源キーなどの各種操作キーを有するリモコン２１と、装置の
各構成要素を制御したり、装置全体を制御したりするためのプログラムやデータが記憶さ
れたフラッシュＲＯＭ２３と、このフラッシュＲＯＭ２３のプログラムやデータに従って
演算処理を行いシステムコントローラ２２を制御するＣＰＵ２４と、このＣＰＵ２４の処
理に必要なデータを一時的に格納するＲＡＭ２７とを備えている。
【００３４】
また、このＤＶＤレコーダは、図示しないテレビジョン受信機やパーソナルコンピュー
タなどから送られてきた映像音声データを光ディスク１に記録するために変調をかける記
録データ変調回路２５と、この記録データ変調回路２５により変調された変調データに基
づいて光ピックアップ２から出射するレーザ光を変調させるためのレーザ変調信号を光ピ
ックアップ２に出力するレーザ変調回路２６とを備えている。
【００３５】
システムコントローラ２２は、一実施形態の特徴とする構成要素として、光ディスク１
に対する再生動作または記録動作の後のストップ状態を検出するストップ状態検出手段２
２１と、前記ストップ状態が検出された時に光ディスク１を低速回転させるストップ時デ
ィスク回転手段２２２と、前記ストップ状態が検出されてから所定時間が経過した時に光
ディスク１の回転を停止させると共に電源をオフさせるオートパワーオフ機能２２３とを
有する。
【００３６】
図２は本発明の一実施形態の特徴とする冷却に関する動作を説明するためのフローチャ
ートである。このフローチャートおよび図１を参照して冷却に関する動作について説明す
る。
【００３７】
先ず、光ディスク１が装填され、リモコン２１の再生キー（あるいは装置側の再生キー
）が押下されると、システムコントローラ２２は、その再生指示を受け、装置を再生モー
ドに設定する。これにより、スピンドルモータ５が回転することにより光ディスク１が回
転し、光ピックアップ２により光ディスク１の情報が読み取られ、前述した動作を行うＲ
Ｆアンプ６、デジタル信号処理部８、ストリーム分離部９、オーディオデコーダ１１、お
よびＤ／Ａ変換器１６を通って、音声信号が再生されて、スピーカ１９で音声化され、ま
た、ＲＦアンプ６、デジタル信号処理部８、ストリーム分離部９、サブピクチャデコーダ
１３、ビデオデコーダ１５、ビデオプロセッサ１７、およびビデオエンコーダ１８を通っ
て、映像信号が再生されて、ディスプレイ装置２０に映出される。
【００３８】
ここで、光ディスク１に対する情報の再生が最後まで終了してストップ状態になった時
、あるいはリモコン２１の停止キー（あるいは装置側の停止キー）を押下してストップ状
態になった時、このストップ状態がシステムコントローラ２２のストップ状態検出手段２
２１により検出され（ステップＳ１）、この時に、システムコントローラ２２のストップ
時ディスク回転手段２２２は、サーボ制御部４を介してスピンドルモータ５を低速回転さ
せることにより、光ディスク１を低速回転させる（ステップＳ２）。
【００３９】
そして、前記ストップ状態が検出されてから所定時間が経過した時に（ステップＳ３）
、システムコントローラ２２のオートパワーオフ機能２２３は、サーボ制御部４を介して
スピンドルモータ５を停止させることにより、光ディスク１の回転を停止させる（ステッ
プＳ４）と共に、装置の電源をオフさせる（ステップＳ５）。なお、ここでは、再生動作
が停止して、ストップ状態になってからの動作を説明したが、記録動作が停止して、スト
ップ状態になってからの動作についても同様である。また、ここで言う再生動作は、通常
再生の他、早送り再生や早戻し再生の動作も含んでいる。
【００４０】
この実施形態によれば、記録動作や再生動作が終って装置がストップ状態になった後も
、光ディスクの回転で装置内の空気を循環させて装置内の冷却を行うことができるので、
発熱部品が空冷され、ストップ状態時の温度上昇を抑えることができ、これにより、光デ
ィスク装置の寿命や記録／再生の精度に悪影響を与えるようなことがなくなり、光ディス
ク装置の品質の向上を図ることができる。また、ストップ状態時の光ディスクの回転は低
速であるので、スピンドルモータの寿命の劣化を軽減できる。
【００４１】
図３は本発明の他の実施形態の特徴とする冷却に関する動作を説明するためのフローチ
ャートである。このフローチャートおよび図１を参照して冷却に関する動作について説明
する。
【００４２】
この実施形態は、システムコントローラ２２には、オートパワーオフ機能２２３が備え
られていない場合で、システムコントローラ２２は、光ディスク１に対する再生動作また
は記録動作の後のストップ状態を検出するストップ状態検出手段２２１と、前記ストップ
状態が検出されてからの時間を計時するタイマ２２５と、前記ストップ状態が検出された
時に光ディスク１を低速回転させるストップ時ディスク回転手段２２２と、前記ストップ
状態が検出されてから所定時間が経過したことを示すタイマ２２５からの時間経過信号を
入力することにより光ディスク１の回転を停止させると共に電源をオフさせるディスク回
転停止・電源オフ手段２２４とを有する。
【００４３】
ここで、光ディスク１に対する情報の再生が最後まで終了してストップ状態になった時
、あるいはリモコン２１の停止キー（あるいは装置側の停止キー）を押下してストップ状
態になった時、このストップ状態がシステムコントローラ２２のストップ状態検出手段２
２１により検出され（ステップＮ１）、この時に、タイマ２２５が時間を計時開始し（ス
テップＮ２）、システムコントローラ２２のストップ時ディスク回転手段２２２は、サー
ボ制御部４を介してスピンドルモータ５を低速回転させることにより、光ディスク１を低
速回転させる（ステップＮ３）。
【００４４】
そして、前記ストップ状態が検出されてから所定時間が経過した（ステップＮ４）こと
を示す時間経過信号をタイマ２２５から入力したシステムコントローラ２２のディスク回
転停止・電源オフ手段２２４は、サーボ制御部４を介してスピンドルモータ５を停止させ
ることにより、光ディスク１の回転を停止させる（ステップＮ５）と共に装置の電源をオ
フさせる（ステップＮ６）。なお、ここでは、再生動作が停止して、ストップ状態になっ
てからの動作を説明したが、記録動作が停止して、ストップ状態になってからの動作につ
いても同様である。また、ここで言う再生動作は、通常再生の他、早送り再生や早戻し再
生の動作も含んでいる。
【００４５】
これらの実施形態によれば、記録動作や再生動作が終って装置がストップ状態になった
後も、光ディスクの回転で装置内の空気を循環させて装置内の冷却を行うことができるの
で、発熱部品が空冷され、ストップ状態時の温度上昇を抑えることができ、これにより、
光ディスク装置の寿命や記録／再生の精度に悪影響を与えるようなことがなくなり、光デ
ィスク装置の品質の向上を図ることができる。また、ストップ状態時の光ディスクの回転
は低速であるので、スピンドルモータの寿命の劣化を軽減できる。
【００４６】
なお、以上説明した実施形態では、光ディスク装置としてＤＶＤレコーダについて説明
したが、再生のみを行うＤＶＤプレイヤのシステムコントローラに同様な機能を持たせる
ことにより、再生動作が終って装置がストップ状態になった後も、光ディスクの回転で装
置内の空気を循環させて装置内の冷却を行うことができる。
【図面の簡単な説明】
【００４７】
【図１】本発明の一実施形態に係る光ディスク装置としてのＤＶＤレコーダの構成を示すブロック図である。
【図２】本発明の一実施形態の特徴とする冷却に関する動作を説明するためのフローチャートである。
【図３】本発明の他の実施形態の特徴とする冷却に関する動作を説明するためのフローチャートである。
【符号の説明】
【００４８】
１    光ディスク
２２    システムコントローラ
２２１    ストップ状態検出手段
２２２    ストップ時ディスク回転手段
２２３    オートパワーオフ機能
２２４    ディスク回転停止・電源オフ手段
２２５    タイマ
【図１】
2006331504.tif 000003
【図２】
2006331504.tif 000004
【図３】
2006331504.tif 000005